(57)【要約】【課題】  従来、浴室内の換気、乾燥、暖房を行う機能を有する浴室換気乾燥暖房機において、筐体内が浴室から取り込んだ空気により高温多湿になった状態で周囲温度が低下した場合に、筐体内に設けられた風路切り替え用のダンパが凍結して開閉動作ができなくなることにより、浴室換気乾燥暖房機としての機能を十分に果たせなくなる恐れがあった。【解決手段】  本発明の浴室換気乾燥暖房機は、筐体内に、風路を切り替えるダンパと、ファンと、ヒータと、温度検知手段とを有し、温度検知手段により検知された温度が所定値未満のときに、ヒータおよびファンを運転し、温められた空気をダンパ部に送ることでダンパの凍結を防止する凍結防止運転を行うことを特徴とする。【選択図】        図３
2020134104.tif 000002
【特許請求の範囲】
【請求項１】
吸込口、吹出口、および排気口と、前記吸込口から前記排気口に至る第１の風路と、前記第１の風路の途中から分岐して前記吹出口に至る第２の風路と、を有する筐体と、
前記分岐部に設けられ、前記第１の風路と前記第２の風路との連通を遮蔽するとともに前記第１の風路と前記排気口の外部とを連通させる第１のダンパ位置と、前記第１の風路と前記排気口の外部との連通を遮蔽するとともに前記第１の風路と前記第２の風路とを連通させる第２のダンパ位置とで切り替え可能なダンパと、
前記第１の風路内に設けられたファンと、
前記第２の風路内に設けられたヒータと、
前記第１の風路内に設けられた温度検知手段と、
前記ファンと前記ヒータと前記ダンパの運転を制御する制御手段と
を備え、
前記制御手段は、前記温度検知手段による検知温度が所定値未満のときに、前記ヒータおよび前記ファンを運転し、前記ヒータによって温めた空気をダンパ部に送ることで前記ダンパの凍結を防止する凍結防止運転を行う
ことを特徴とする浴室換気乾燥暖房機。
【請求項２】
前記ダンパは、前記第１の風路が前記第２の風路および前記排気口の外部のいずれとも連通する第３のダンパ位置への切り替えも可能であり、
前記制御手段は、前記ダンパを前記第２のダンパ位置または前記第３のダンパ位置に制御し、前記ファンの運転により前記吸込口から前記第１の風路、前記第２の風路を経由して前記吹出口に至る空気流を発生させて凍結防止運転を行う
ことを特徴とする請求項１記載の浴室換気乾燥暖房機。
【請求項３】
前記吹出口に風向切替手段をさらに備え、
前記制御手段は、凍結防止運転時における前記吹出口からの空気流が前記吸込口側に向かうように前記風向切替手段の角度を制御する
ことを特徴とする請求項２記載の浴室換気乾燥暖房機。
【請求項４】
前記制御手段は、前記ダンパを前記第２のダンパ位置に制御し、前記ファンを通常運転時とは逆回転で運転し、前記吹出口から前記第２の風路、前記第１の風路を経由して前記吸込口に至る空気流を発生させて凍結防止運転を行う
ことを特徴とする請求項１記載の浴室換気乾燥暖房機。
【請求項５】
吸込口、吹出口、および排気口と、前記吸込口から前記排気口に至る第１の風路と、前記第１の風路の途中から分岐して前記吹出口に至る第２の風路と、を有する筐体と、
前記分岐部に設けられ、前記第１の風路と前記第２の風路との連通を遮蔽するとともに前記第１の風路と前記排気口の外部とを連通させる第１のダンパ位置と、前記第１の風路と前記排気口の外部との連通を遮蔽するとともに前記第１の風路と前記第２の風路とを連通させる第２のダンパ位置とで切り替え可能なダンパと、
吹出口部に設けられ、前記吹出口の外部と前記第２の風路との連通を遮蔽または開放に切り替え可能な吹出口開閉手段と、
前記第１の風路内に設けられたファンと、
前記第２の風路内に設けられたヒータと、
前記第１の風路内に設けられた温度検知手段と、
前記ファンと前記ヒータと前記ダンパと前記吹出口開閉手段の運転を制御する制御手段と
を備え、
前記制御手段は、前記温度検知手段による検知温度が所定値未満のときに、前記吹出口開閉手段を遮蔽位置とし、前記ダンパを前記第２のダンパ位置とし、前記ファンを停止し、前記ヒータを運転することで、前記ダンパの凍結を防止する凍結防止運転を行う
ことを特徴とする浴室換気乾燥暖房機。
【請求項６】
前記制御手段は、凍結防止運転時に、前記温度検知手段による検知温度が前記所定値以上である状態が所定時間以上経過した場合に、凍結防止運転を終了する
ことを特徴とする請求項１〜５のいずれか一項に記載の浴室換気乾燥暖房機。
【請求項７】
表示手段をさらに備え、
前記制御手段は、凍結防止運転時に、前記表示手段に凍結防止運転中であることを表示させる
ことを特徴とする請求項１〜６のいずれか一項に記載の浴室換気乾燥暖房機。
【発明の詳細な説明】
【技術分野】
【０００１】
本発明は、浴室換気乾燥暖房機内の風路を切り替えるダンパの凍結防止に関するものである。
【背景技術】
【０００２】
従来より、浴室に対しては「冬場の寒い時期に入浴前の浴室を暖めておきたい（浴室内の暖房）」、「浴室内の湿気を排除し、カビの発生を抑制したい（浴室内の換気・乾燥）」、「浴室内で洗濯物を乾かしたい（浴室内衣類乾燥）」などの要望があり、それらの機能を備えた浴室換気乾燥暖房機が種々提案されてきている。
このような浴室換気乾燥暖房機には、浴室内の空気を吸い込んだ後、ヒータ部を通過させて温度を上げてから浴室内に戻す流路（循環用通路）と、湿気を帯びた空気を屋外に排出する流路（排気用通路）とを有し、これらの流路のいずれに空気を流すかをダンパで切り替える構造のものが知られている（例えば、特許文献１）。
【先行技術文献】
【特許文献】
【０００３】
【特許文献１】特開２００４−２１１９６１号公報
【発明の概要】
【発明が解決しようとする課題】
【０００４】
しかしながら、特許文献１に示されたような浴室換気乾燥暖房機においては、浴室の湿った空気を機器内部に吸い込むため通路内空気が高温多湿状態になり、その状態で製品本体の周囲温度が低下するとダンパ表面や通路内の壁に結露が生じ、周囲温度がさらに低下した場合にはダンパ表面あるいは通路内の壁の水分が凍結してダンパの開閉動作ができなくなることがある。
すなわち、浴室換気乾燥暖房機のダンパが凍結して、循環、排気の流路切り替えが不能となると、暖房したい場合に温かい空気が吹き出されなかったり、換気したい場合に湿気を帯びた空気が吹出口から戻ってきたりすることにもなりかねず、浴室換気乾燥暖房機としての機能を十分に果たせなくなる恐れがあった。
【０００５】
この発明は、上記のような課題を解決するためになされたものであり、ダンパの凍結を防止するための凍結防止運転機能を有する浴室換気乾燥暖房機を提供するものである。
【課題を解決するための手段】
【０００６】
この発明にかかる浴室換気乾燥暖房機は、筐体内に、風路を切り替えるダンパと、ファンと、ヒータと、温度検知手段とを有し、温度検知手段により検知された温度が所定値未満のときに、ヒータおよびファンを運転し、温められた空気をダンパ部に送ることでダンパの凍結を防止する凍結防止運転を行うことを特徴とする。
【発明の効果】
【０００７】
この発明の浴室換気乾燥暖房機は上記のように構成したので、製品本体の周囲温度が低下して凍結の恐れが生じた場合においても、ダンパの凍結を防止し、浴室換気乾燥暖房機としての機能が損なわれるのを防ぐことができる。
【図面の簡単な説明】
【０００８】
【図１】この発明の実施の形態１にかかる浴室換気乾燥暖房機を示す基本構成図である。
【図２−１】この発明の実施の形態１にかかる浴室換気乾燥暖房機の換気運転時の状態を示す説明図である。
【図２−２】この発明の実施の形態１にかかる浴室換気乾燥暖房機の暖房運転時の状態を示す説明図である。
【図２−３】この発明の実施の形態１にかかる浴室換気乾燥暖房機の乾燥運転時の状態を示す説明図である。
【図３】この発明の実施の形態１にかかる浴室換気乾燥暖房機の凍結防止運転の動作を説明するフローチャート図である。
【図４】この発明の実施の形態２にかかる浴室換気乾燥暖房機の凍結防止運転時の状態を示す説明図である。
【図５】この発明の実施の形態３にかかる浴室換気乾燥暖房機の凍結防止運転時の状態を示す説明図である。
【図６】この発明の実施の形態４にかかる浴室換気乾燥暖房機の凍結防止運転時の状態を示す説明図である。
【発明を実施するための形態】
【０００９】
以下、この発明にかかる浴室換気乾燥暖房機の実施の形態を図面に基づいて詳細に説明する。
【００１０】
実施の形態１．
図１は実施の形態１にかかる浴室換気乾燥暖房機を示す基本構成図である。また、図２−１、図２−２、図２−３は実施の形態１にかかる浴室換気乾燥暖房機のそれぞれ換気運転時、暖房運転時、乾燥運転時の状態を示す説明図であり、図３は実施の形態１にかかる浴室換気乾燥暖房機の凍結防止運転の動作を説明するフローチャート図である。
【００１１】
まず、図１を用いて実施の形態１にかかる浴室換気乾燥暖房機の構成を説明する。図１において、屋内（浴室）と屋外とを隔てる壁１３に開口部が設けられ、その開口部に浴室換気乾燥暖房機１００が設置されている。浴室換気乾燥暖房機１００の筐体６は、浴室側に吸込口１および吹出口２を有し、屋外側に排気口３を有する。また、吸込口１から排気口３に至る空気の流路である第１の風路としての排気風路４（一点鎖線で示した領域）が形成されており、排気風路４の途中から吹出口２に至る空気の流路である第２の風路としての循環風路５（二点鎖線で示した領域）が分岐、形成されている。
排気風路４から循環風路５に分岐する箇所にはダンパ７が設けられており、ダンパ７は、排気風路４と排気口３の外部とを連通させ、排気風路４と循環風路５との連通を遮蔽して、換気運転時の空気の流路を形成する第１のダンパ位置としての「排気位置」、排気風路４と排気口３の外部との連通を遮蔽し、排気風路４と循環風路５とを連通させて、暖房運転時の空気の流路を形成する第２のダンパ位置としての「循環位置」、排気風路４と排気口３の外部とを連通させるとともに排気風路４と循環風路５とをも連通させて、乾燥運転時の空気の流路を形成する第３のダンパ位置としての「中間位置」の三つの状態があり、そのうちの一状態を選択して、その位置に切り替えることが制御可能となっている。
【００１２】
排気風路４内にはファン８および温度検知手段としてのサーミスタ１０が設けられ、循環風路５内にはヒータ９が設けられている。また、制御手段としての制御回路１１が筐体６内に、表示手段としての表示器１２が筐体６の浴室側の面に設けられている。
制御回路１１は、ダンパ７、ファン８、ヒータ９、サーミスタ１０、表示器１２とそれぞれ信号線で接続されており、サーミスタ１０から排気風路４内の温度情報を入手し、ダンパ７、ファン８、ヒータ９のそれぞれに制御指令、また表示器１２に表示情報を出力することができる。なお、表示器１２は浴室外たとえば脱衣場などに設置されていてもよい。
【００１３】
次に、図２−１を用いて実施の形態１にかかる浴室換気乾燥暖房機の通常運転時における換気運転の動作を説明する。浴室内の換気を実施する際、浴室内の湿気を含んだ空気を屋外に排出するために、浴室換気乾燥暖房機１００の制御回路１１はダンパ７に対して排気風路４と排気口３の外部とを連通させ、排気風路４と循環風路５との連通を遮蔽する排気位置になるように指令を出す。また、ファン８に対し、運転（正転）の指令を出す。ファン８の運転とダンパ７の状態（排気位置）により、吸込口１→排気風路４→排気口３に至る空気の流れが発生する。すなわち、浴室内の湿気を含んだ空気は吸込口１から取り込まれ（吸込流１４）、屋外に排出される（排気流１５）。
【００１４】
図２−２は、実施の形態１にかかる浴室換気乾燥暖房機の通常運転時における暖房運転の動作の説明図である。浴室内の暖房を実施する際、浴室内の空気を温めるために、浴室換気乾燥暖房機１００の制御回路１１はダンパ７に対して排気風路４と排気口３の外部との連通を遮蔽し、排気風路４と循環風路５とを連通させる循環位置になるように指令を出す。また、ファン８に対して運転（正転）の指令を出し、ヒータ９に対して運転（通電）の指令を出す。ファン８の運転とダンパ７の状態（循環位置）によって、吸込口１→排気風路４→循環風路５→吹出口２に至る空気の流れが発生し、また、ヒータ９の運転によって循環風路５を通過する空気が温められるので、吹出口２から温風が供給され（吹出流１６）、浴室内を暖房することができる。
【００１５】
図２−３は、実施の形態１にかかる浴室換気乾燥暖房機の通常運転時における乾燥運転の動作の説明図である。浴室内の乾燥、衣類乾燥を実施する際、浴室内の湿気を含んだ空気を屋外に排出し、かつ浴室内を温めるために、浴室換気乾燥暖房機１００の制御回路１１はダンパ７に対して排気風路４と排気口３の外部とを連通させるとともに排気風路４と循環風路５とをも連通させる中間位置になるように指令を出す。また、ファン８に対して運転（正転）の指令を出し、ヒータ９に対して運転（通電）の指令を出す。ファン８の運転とダンパ７の状態（中間位置）により、吸込口１→排気風路４→排気口３に至る空気の流れおよび吸込口１→排気風路４→循環風路５→吹出口２に至る空気の流れが発生する。これにより、浴室内の湿気を含んだ空気は屋外に排出されるとともに、ヒータ９の運転によって循環風路５を通過する空気が温められるので、吹出口２から浴室内に温風が供給される。この動作により、浴室内の乾燥あるいは浴室内の衣類乾燥が可能となる。
【００１６】
次に、実施の形態１にかかる浴室換気乾燥暖房機の凍結防止運転における動作を説明する。実施の形態１における凍結防止運転では、ダンパ７の位置が通常運転における暖房運転あるいは乾燥運転と同じであって、浴室換気乾燥暖房機内の空気の流路も同じになるので、図２−２および図２−３を用いて説明する。
【００１７】
図２−２において、サーミスタ１０が排気風路４内の温度を検知し、制御回路１１に送る。制御回路１１はその検知温度が所定値（氷点あるいは氷点に対してあるマージンを見込んだ値）未満になった場合、ダンパ７が凍結する恐れがあると判断して、凍結防止運転を開始する。具体的には、ダンパ７に対し循環位置になるように指令を出すとともに、ファン８に対して運転（正転）の指令を出し、ヒータ９に対して運転（通電）の指令を出す。また、制御回路１１は表示器１２に対して凍結防止運転実施中を示す表示をＯＮさせるように指令を出す。
これによって、吸込口１→排気風路４→循環風路５→吹出口２に至る空気の流れが発生する。循環風路５内を通過する空気がヒータ９によって温められ、吹出口２から浴室内に吹き出されるので、吸込口１から排気風路４内に取り込まれる空気も温かい空気となり、それがダンパ７付近を経由してから再び循環風路５に戻ることになる。すなわち、ダンパ７付近の空気の温度が上昇し、ダンパ７の凍結を防止することができる。
なお、凍結防止運転はサーミスタ１０の検知温度に基づいて自動的に行われるので、ユーザの操作にかかわらず浴室換気乾燥暖房機のヒータに通電されて浴室内の温度が上昇することになるが、表示器１２が凍結防止運転実施中を示す表示を行うように構成されているため、ユーザは凍結防止運転中であること（ヒータへの通電と浴室の温度上昇が機器の異常によるものではないこと）を認識することができる。
【００１８】
ダンパ７が中間位置をとる場合の凍結防止運転も同様である。
図２−３において、サーミスタ１０が排気風路４内の温度を検知し、制御回路１１に送る。制御回路１１はその検知温度が所定値（氷点あるいは氷点に対してあるマージンを見込んだ値）未満になった場合、ダンパ７が凍結する恐れがあると判断して、凍結防止運転を開始する。具体的には、ダンパ７に対し中間位置になるように指令を出すとともに、ファン８に対して運転（正転）の指令を出し、ヒータ９に対して運転（通電）の指令を出す。また、制御回路１１は表示器１２に対して凍結防止運転実施中を示す表示をＯＮさせるように指令を出す。
これによって、吸込口１→排気風路４→循環風路５→吹出口２に至る空気の流れと、吸込口１→排気風路４→排気口３に至る空気の流れとが発生する。循環風路５内を通過する空気がヒータ９によって温められ、吹出口２から浴室内に吹き出されるので、吸込口１から排気風路４内に取り込まれる空気も温かい空気となり、それがダンパ７付近を経由してから再び循環風路５に戻る流れと、排気口３から屋外に排出される流れとに分かれる。すなわち、ダンパ７付近の空気の温度が上昇し、ダンパ７の凍結を防止することができる。
【００１９】
次に、浴室換気乾燥暖房機の通常運転および凍結防止運転の制御の流れを、図３のフローチャートを用いて説明する。
浴室換気乾燥暖房機の運転開始後、制御回路１１は現在の運転モードが「凍結防止運転」であるか否かを判定する（ステップＳ１）。なお、運転モードには、通常運転である「換気運転」、「暖房運転」、「乾燥運転」、および「凍結防止運転」などがあるものとする。「凍結防止運転」は、後述するステップＳ４で設定され、ステップＳ１２で解除される。通常運転の各運転モードは操作部（図示せず）でユーザにより設定、切り替えが可能である。運転開始直後の運転モードは通常運転のうちのいずれかであり、凍結防止運転中ではないものとする。ステップＳ１での判定で、凍結防止運転中でない（ＮＯ）ならばステップＳ２に進み、凍結防止運転中である（ＹＥＳ）ならばステップＳ１０に進む。
ステップＳ２で、サーミスタ１０によって得られた排気風路４内の検知温度が所定値未満であるか否かを判定する。検知温度が所定値未満でない（ＮＯ）ならば凍結の恐れはないと判断し、ステップＳ３で通常運転（換気、暖房、乾燥のいずれか）を実行し、ステップＳ１に戻る。
【００２０】
ステップＳ２で検知温度が所定値未満である（ＹＥＳ）ならば、凍結の恐れがあると判断して、ステップＳ４に進み、運転モードを「凍結防止運転」に設定する。凍結防止運転の具体的な運転内容をステップＳ５〜Ｓ９で説明する。まず、ステップＳ５で、ダンパ７が排気位置であるか否かを判定する。制御回路１１は、自身がダンパ７に対して位置の指令を出しているのでダンパ位置の判定が可能である。ダンパ７が排気位置である（ＹＥＳ）ならば、ダンパ７を中間位置に移動（ステップＳ６）し、ステップＳ７に進む。ダンパ７が排気位置でない（ＮＯ）、すなわち循環位置あるいは中間位置ならば、ダンパ７の位置をそのままにしてステップＳ７に進む。
ステップＳ７でヒータ９を運転（通電）させ、ステップＳ８でファン８を運転（正転）させる。また、ステップＳ９で表示器１２の凍結防止運転実施中を示す表示をＯＮさせ、ステップＳ１に戻る。
これにより、浴室換気乾燥暖房機１００は、ダンパが循環位置もしくは中間位置、ヒータが運転（通電）、ファンが運転（正転）の凍結防止運転状態となる。
【００２１】
ステップＳ１で凍結防止運転中である（ＹＥＳ）と判定された場合（ステップＳ４〜Ｓ９の実行後の状態）は、ステップＳ１０に進む。ステップＳ１０ではサーミスタ１０によって得られた排気風路４内の検知温度が所定値以上であるか否かを判定する。検知温度が所定値以上でない（ＮＯ）ならば、まだ凍結防止運転を継続する必要があるとして、ステップＳ１に戻る。
検知温度が所定値以上である（ＹＥＳ）ならば、ステップＳ１１に進み、その状態が所定時間継続したか否かを判定する。ステップＳ１１で、検知温度が所定値以上である状態が所定時間継続していない（ＮＯ）ならば、まだ凍結の恐れが残っているとして凍結防止運転の状態を保ち、ステップＳ１に戻る。
ステップＳ１１で、検知温度が所定値以上である状態が所定時間継続（ＹＥＳ）したならば、凍結の恐れがなくなったと判断して、ステップＳ１２に進み、運転モードを凍結防止運転前の状態に戻す。すなわち、凍結防止運転を解除する。具体的には、ステップＳ１３で、ヒータ、ファン、ダンパ位置をそれぞれ凍結防止運転前の状態に戻す。次に、ステップＳ１４で、表示器１２の凍結防止運転実施中を示す表示をＯＦＦさせ、ステップＳ１に戻る。
以上により、制御回路１１は浴室換気乾燥暖房機１００の通常運転および凍結防止運転の制御を行う。
【００２２】
実施の形態１では上記のように構成したので、浴室換気乾燥暖房機はダンパの凍結が懸念されるような低温状態になった際に自動的に凍結防止運転を開始して、ダンパの凍結を防止することが可能である。すなわち、凍結によって浴室換気乾燥暖房機の機能が損なわれることを防止する。
また、自動的に凍結防止運転が開始されても、ユーザは表示器により凍結防止運転中であることを認識することができる。
【００２３】
実施の形態２.
実施の形態１にかかる浴室換気乾燥暖房機では、ヒータ９で温めた空気を吹出口２から浴室内に単純に吹き出す構成とした。実施の形態２にかかる浴室換気乾燥暖房機では、吹出口２に風向切替手段を設けた構成としたものである。
図４は、この発明の実施の形態２にかかる浴室換気乾燥暖房機の凍結防止運転時の状態を示す説明図である。
【００２４】
まず、実施の形態２にかかる浴室換気乾燥暖房機の構成について説明する。
図４において、浴室換気乾燥暖房機２００の吹出口２部には風向切替手段１７が設けられている。風向切替手段１７は制御回路１１と信号線で接続されており、制御回路１１からの指令により、例えば吹出口２からの気流が浴室内に水平に吹き出されるように風向を定める位置、あるいは吹出口２からの気流が吸込口１側に向かって吹き出されるように風向を定める位置（図４に示した上向きに傾いた状態）などを選択し、切り替えることができるものとする。なお、図４では、風向切替手段１７として１枚のダンパ形状のもので例示したが、複数枚のルーバ状のものであってもよい。
その他の構成は実施の形態１と同じであるため説明を省略する。
【００２５】
次に、実施の形態２における浴室換気乾燥暖房機の動作について説明する。
実施の形態２において、制御回路１１は、凍結防止運転の際に、吹出口２部の風向切替手段１７を例えば図４に示したような吸込口１側に向かって傾けた位置になるように指令を出す。また、ダンパ７に対して循環位置になるように指令を出し、ファン８に対して運転（正転）の指令を出すとともにヒータ９に対して運転（通電）の指令を出す。
これによって、浴室内の空気は吸込口１から浴室換気乾燥暖房機２００の排気風路４内に取り込まれ、ヒータ９で温められたのちに、吹出口２から浴室内に戻される。ここで、吹出口２部の風向切替手段１７が浴室換気乾燥暖房機２００の吸込口１の方向に傾いた状態となっているため、吹出口２から吹き出された空気は吸込口１側に向かって流れる。ファン８は正回転を続けているので、吹出口２から吸込口１側に吹き出された空気はショートサーキットの状態となって再び吸込口１から浴室換気乾燥暖房機２００の排気風路４内に取り込まれる。すなわち、ヒータ９で温められた空気がすぐに排気風路４内に戻ってくるため、ダンパ７部の周辺温度が短時間で上昇することになり、凍結防止に対してより有効である。
【００２６】
なお、実施の形態２における浴室換気乾燥暖房機の凍結防止運転でのダンパ７の位置は上述した循環位置に限らず、中間位置であってもよい。
また、実施の形態２における浴室換気乾燥暖房機の通常運転時の風向切替手段１７の位置は、水平方向あるいは下向きとしておくのがよい。通常運転での吹出口２からの吹き出しは浴室内の暖房あるいは乾燥を目的としているため、浴室内に広く行き渡らせる必要があり、ショートサーキット状態を避けることが望ましい。
【００２７】
実施の形態２では上記のように構成されているため、浴室換気乾燥暖房機はダンパの凍結が懸念されるような低温状態になった際に自動的に凍結防止運転を開始し、ダンパの凍結を防止することが可能である。すなわち、凍結によって浴室換気乾燥暖房機の機能が損なわれることを防止する。
また、ヒータで温められた空気をすぐに排気風路内に戻すことができる構成としているので、ダンパ部の周辺温度を短時間で上昇させ、より有効な凍結防止運転を実現できる。
【００２８】
実施の形態３.
実施の形態１あるいは２にかかる浴室換気乾燥暖房機では、凍結防止運転時にファン８を正転（通常運転時と同じ方向に回転）させる構成とした。実施の形態３にかかる浴室換気乾燥暖房機では、凍結防止運転時にファン８を逆回転させるものである。
図５はこの発明の実施の形態３にかかる浴室換気乾燥暖房機の凍結防止運転時の状態を示す説明図である。
【００２９】
実施の形態３にかかる浴室換気乾燥暖房機の構成については実施の形態１と同じ構成なので説明を省略する。
次に、実施の形態３における浴室換気乾燥暖房機の動作について、図５を用いて説明する。
実施の形態３において、制御回路１１は、凍結防止運転の際に、ダンパ７に対して循環位置になるよう指令を出し、ヒータ９に対して運転（通電）の指令を出す。また、ファン８に対しては通常運転時とは逆方向に回転するように指令を出す。
これによって、浴室内の空気は吹出口２から浴室換気乾燥暖房機３００の循環風路５内に取り込まれ（吸込流１８）、ヒータ９で温められたのちに、排気風路４内を通過して吸込口１から浴室内に戻される（吹出流１９）。すなわち、ヒータ９で温められた空気は浴室を経由してからではなく、そのまますぐにダンパ７部を通過させるので、ダンパ７部の周辺温度が短時間で上昇することになり、凍結防止に対してはさらに有効となる。
【００３０】
実施の形態３では上記のように構成されているため、浴室換気乾燥暖房機はダンパの凍結が懸念されるような低温状態になった際に自動的に凍結防止運転を開始し、ダンパの凍結を防止することが可能である。すなわち、凍結によって浴室換気乾燥暖房機の機能が損なわれることを防止する。
また、ヒータで温められた空気をすぐにダンパ部に送る構成としているので、ダンパ部の周辺温度を短時間で上昇させ、さらに有効な凍結防止運転を実現できる。
【００３１】
実施の形態４.
実施の形態１〜３にかかる浴室換気乾燥暖房機では、凍結防止運転時にファン８を運転して、空気流を発生させる構成とした。実施の形態４にかかる浴室換気乾燥暖房機では、ファン８を停止させた状態で凍結防止運転を行うものである。
図６はこの発明の実施の形態４にかかる浴室換気乾燥暖房機の凍結防止運転時の状態を示す説明図である。
【００３２】
まず、実施の形態４にかかる浴室換気乾燥暖房機の構成の構成について説明する。
図６において、浴室換気乾燥暖房機４００の吹出口２部には吹出口開閉手段としての吹出口ダンパ２０が設けられている。吹出口ダンパ２０は制御回路１１と信号線で接続されており、制御回路１１からの指令により、吹出口２を開閉することができるものとする。なお、図６では、吹出口開閉手段として１枚のダンパ形状である吹出口ダンパ２０で例示したが、複数枚のルーバ状の開閉手段を用いてもよい。
その他の構成は実施の形態１と同じであるため説明を省略する。
【００３３】
次に、実施の形態４における浴室換気乾燥暖房機の動作について説明する。
実施の形態４において、制御回路１１は、凍結防止運転の際に、ダンパ７に対して循環位置になるように指令を出し、吹出口ダンパ２０に対して閉じた状態になるよう指令を出した上で、ヒータ９に対して運転（通電）の指令を出す。また、ファン８に対しては停止の指令を出す。
このため、浴室換気乾燥暖房機４００内には空気流が発生していない状態となる。また、浴室換気乾燥暖房機４００の吹出口２および排気口３は閉じられた状態となっている。この状態では、ヒータ９で温められた循環風路５内の空気は、浴室換気乾燥暖房機４００の吹出口２および排気口３から筐体外に流れ出ることができず、また流入する空気もないので、循環風路５内、ダンパ７付近から排気風路４内のあたりに留まることになる。すなわち、ダンパ７部の周辺は温められた空気２１で満たされるため、凍結防止に対して有効である。
【００３４】
実施の形態４では上記のように構成されているため、浴室換気乾燥暖房機はダンパの凍結が懸念されるような低温状態になった際に自動的に凍結防止運転を開始し、ダンパの凍結を防止することが可能である。すなわち、凍結によって浴室換気乾燥暖房機の機能が損なわれることを防止する。
また、ヒータで温められた空気でダンパ部の周辺を満たす構成としたので、さらに有効な凍結防止運転を実現できる。さらに、ファン８を停止させることによる消費電力の抑制も効果としてあげられる。
【００３５】
なお、実施の形態１〜４では浴室と屋外との間の壁に取り付けるタイプの浴室換気乾燥暖房機を例として説明したが、浴室の天井裏に設置し屋外への排気をダクト接続によって行うタイプの浴室換気乾燥暖房機においても、周囲温度の低下による凍結の恐れがあり得るため、本発明内容を適用することが可能である。
【符号の説明】
【００３６】
１  吸込口、２  吹出口、３  排気口、４  排気風路、５  循環風路、６  筐体、７  ダンパ、８  ファン、９  ヒータ、１０  サーミスタ、１１  制御回路、１２  表示器、１３  壁、１４、１８  吸込流、１５  排気流、１６、１９  吹出流、１７  風向切替手段、２０  吹出口ダンパ、２１  温められた空気、１００、２００、３００、４００  浴室換気乾燥暖房機
【図１】
2020134104.tif 000003
【図２−１】
2020134104.tif 000004
【図２−２】
2020134104.tif 000005
【図２−３】
2020134104.tif 000006
【図３】
2020134104.tif 000007
【図４】
2020134104.tif 000008
【図５】
2020134104.tif 000009
【図６】
2020134104.tif 000010